(57)【要約】【課題】射出成形される第１の透過部の周囲に第２の透過部を一体成形した樹脂成形品であっても、第１の透過部のゲートの切断跡が視認されず、外観品質を低下させることのない樹脂成形品を提供する。【解決手段】黒色の半透明部１７（第１の透過部）と、この半透明部１７の周囲に一体成形される無色透明部１８（第２の透過部）とを備えた透視板１３（樹脂成形品）において、半透明部１７および無色透明部１８と一体成形され、少なくとも半透明部１７のゲート切断跡を覆い隠す不透過部１９を有する。【選択図】  図１
2004230563.tif 000002
【特許請求の範囲】
【請求項１】
第１の透過部と、この第１の透過部の周囲に一体成形される第２の透過部とを備えた樹脂成形品において、前記第１の透過部および前記第２の透過部と一体成形され、少なくとも前記第１の透過部のゲート切断跡を覆い隠す不透過部を有することを特徴とする樹脂成形品。
【請求項２】
前記不透過部が前記第１の透過部と前記第２の透過部との間の全周に設けられていることを特徴とする請求項１に記載の樹脂成形品。
【請求項３】
前記不透過部が前記第１の透過部もしくは前記第２の透過部と同系色であることを特徴とする請求項１または請求項２に記載の樹脂成形品。
【発明の詳細な説明】
【０００１】
【発明の属する技術分野】
本発明は、例えば表示器の前面側に配置される光透過性を有する樹脂成形品に関するものである。
【０００２】
【従来の技術】
車両用の表示装置を例に説明する。図５は表示装置の断面であり、図６は表示装置を構成する透視板１０１の正面を示す。ケース１０２内には、例えば速度計やエンジン回転計，車両の状態を示すパイロット表示部などの表示器１０３が収納されており、主に本体部１０４と、表示部（図示せず）を施した表示板１０５を備えている。１０６は表示板１０５の可視範囲を定める開口部１０７を有する例えば黒色の合成樹脂からなる見返し板である。この見返し板１０６および表示板１０５の前面側を覆うように合成樹脂製の透視板１０１が配置してある。
【０００３】
この様に構成された表示装置において、表示器１０３や表示部の一部を通常時は非視認状態としておき、ケース１０２内に収納された光源（図示せず）が点灯したときのみ現れるようにするには、透視板１０１の当該箇所を黒色の半透明部１０８とし、他は無色透明部１０９としておく。この様に構成することにより、黒色の半透明部１０８によってケース１０２内の表示器１０３や表示部の一部は通常視認されないが、光源の点灯によって、今まで視認されなかった表示器１０３や表示部の一部が現れるようになる。
【０００４】
上述した透視板１０１は以下のようにして作られる。まず、黒色の半透明部１０８を射出成形する。次に、半透明部１０８の周囲に無色透明樹脂を射出して半透明部１０８と無色透明部１０９を一体成形する。
【０００５】
【発明が解決しようとする課題】
この様にして形成された透視板１０１であるが、半透明部１０８の外周側面１１０に半透明部１０８を成形した際のゲートの切断跡１１１が出る。その後、半透明部１０８の周囲に無色透明部１０９を一体成形するが、この切断跡１１１は無色透明部１０９を透して視認される。すると、切断跡１１１あるいは外周側面１１０から突き出した切断後の残りが異物の様に感じられ、外観上見苦しい。
【０００６】
これを改善するために、半透明部１０８の端縁下面１１２（表示板１０５側の端縁）にゲートの切断跡が出るように半透明部１０８を形成する方法もある。この様にした場合、ゲート切断後の残りが無色透明部１０９に出ず、しかも半透明部１０８が黒色であるために、表面側（車両の運転者側）から見た場合、通常は視認されることがない。しかしながら、ケース１０２内の光源が点灯することによって、今まで視認されなかった表示器１０３や表示部の一部が半透明部１０８を透して視認可能となる。同時にゲートの切断跡も透視され、この切断跡あるいは切断後の残りが異物の様に感じられ、外観上見苦しい。
【０００７】
なお、無色透明部１０９を射出成形した際にもゲートの切断跡１１１Ａは出る。しかし、ゲート位置を無色透明部１０９の外周端縁としておけば、切断跡１１１Ａが出ても表示装置を車両のインストルメントパネル１１３に装着すると、透視板１０１の外周は隠れてしまい、切断跡１１１Ａは見えなくなる。また、表示装置全体が視認される場合であっても、切断跡１１１Ａが透視板１０１の端部であり外観上特に問題とはならない。しかし、半透明部１０８の場合は、半透明部１０８が透視板１０１のほぼ中央付近にあるため、ゲートをどの位置にしても切断跡１１１が視認されて目立ってしまう。
【０００８】
本発明はこの様な点に鑑みなされたもので、射出成形される第１の透過部の周囲に第２の透過部を一体成形した樹脂成形品であっても、第１の透過部のゲートの切断跡が視認されず、外観品質を低下させることのない樹脂成形品を提供することを目的とする。
【０００９】
【課題を解決するための手段】
本発明は前記課題を解決するため、第１の透過部と、この第１の透過部の周囲に一体成形される第２の透過部とを備えた樹脂成形品において、前記第１の透過部および前記第２の透過部と一体成形され、少なくとも前記第１の透過部のゲート切断跡を覆い隠す不透過部を有するものである。
【００１０】
また、前記不透過部が前記第１の透過部と前記第２の透過部との間の全周に設けられているものである。
【００１１】
また、前記不透過部が前記第１の透過部もしくは前記第２の透過部と同系色であるものである。
【００１２】
【発明の実施の形態】
本発明の樹脂成形品を適用した車両の表示装置を実施形態として説明する。図１〜図３は本発明の第１実施形態を示す。図１は表示装置の断面を示し、図２は表示装置の正面図である。また、図３は樹脂成形品である透視板の部分断面（図１に於けるＡ部詳細）である。
【００１３】
表示装置は、硬質な回路基板１と、この回路基板１の裏面側に回路基板１と導通状態で装着され、回路基板１を貫通して前方に延びる回動軸２を有する例えば速度計用の計器本体３と、回動軸２の先端側に固着された指示部４を有する指針５と、この指針５の後方に配置され指示部４の動作に対応する表示部６を設けた表示板７と、回路基板１上に実装され指針５や表示板７を照明する光源としての発光ダイオード８，８Ａ，８Ｂと、表示板７と回路基板１との間に配置された保持部材９と、回路基板１の裏面側を覆うカバー１０と、表示板７の前方側に配置され表示板７の可視領域を定める開口部１１を有する見返し部材１２と、指針５や表示板７などの前方側に配置された透視板１３（樹脂成形品）を備えている。
【００１４】
指針５は無色透明な合成樹脂からなる指示部４の他に、指針軸１４と、指示部４の基部周囲（指針軸１４の上方）を覆う遮光部材としての黒色の指針キャップ１５を備えている。また、指示部４の裏面には赤色の箔１６がホットスタンプされている。この指針５は指針軸１４を計器本体３の回動軸２の先端側に圧入することによって計器本体３に固着されている。
【００１５】
透視板１３は、指針５と対向するように配置される黒色の半透明部１７（第１の透過部）と、この半透明部１７の周囲に位置する無色透明部１８（第２の透過部）と、半透明部１７と無色透明部１８との間の全周に一体成形される黒色の不透過部１９からなる。すなわち、半透明部１７の周囲にリング状の不透過部１９が有り、不透過部１９の周囲に無色透明部１８が有り、これらが一体化されているものである。
【００１６】
本実施形態における透視板１３は以下のようにして形成される。まず、黒色の半透明樹脂からなる半透明部１７と無色透明樹脂からなる無色透明部１８を個々に射出成形する。半透明部１７を成形した際のゲート切断跡２０は、図３に示す様に半透明部１７の外周側面箇所であるが、半透明部１７の端縁下面（表示板７側の端縁）箇所であっても良い。なお、無色透明部１８のゲート切断跡２０Ａは図１に示す様に外周端縁に出る。
【００１７】
次に、射出成形用の成形型に半透明部１７と無色透明部１８を固定した後、黒色の不透過性樹脂を射出して不透過部１９を成形する。不透過部１９は断面が略エ字状であり、半透明部１７および無色透明部１８のそれぞれの全周端縁を両側から挟み込むように成形される。従って、半透明部１７のゲート切断跡２０は不透過部１９で包み込まれて見えなくなってしまう。この様にして、半透明部１７と無色透明部１８と不透過部１９が一体化された透視板１３が形成される。なお、不透過部１９を射出した際のゲート切断跡２０Ｂは、図３に示す様に透視板１３の表面側（車両の運転者側）から視認されることのない箇所とする。
【００１８】
表示板７は、詳細は図示しないが、無色透明な基板の表面側に車両の速度を現す目盛，数字などの表示部６となる例えば白色の透過性表示層を形成し、表示部６を除いて例えば黒色の地色層を形成してある。本実施形態における表示部６は、キロメートルに関する目盛，数字などの主表示部６Ａと、マイルに関する目盛，数字などの副表示部（図示せず）があり、主表示部６Ａは透視板１３の無色透明部１８に対向した位置（指針５の指示部４先端よりさらに先端側の表示板箇所）に設けてある（図２に透視された一部を示す）。また、副表示部は半透明部１７に対向した位置（指針５の指示部４先端と指針キャップ１５との間の表示板箇所）に設けてある。
【００１９】
保持部材９は遮光性のある白色の合成樹脂からなり、回動軸２周囲の指針５照明用の発光ダイオード８と表示板７の副表示部を背後から透過照明する発光ダイオード８Ａとの間に立設した筒状部２１と、副表示部を透過照明する発光ダイオード８Ａと主表示部６Ａを背後から透過照明する発光ダイオード８Ｂとの間に設けられた遮光壁２２を備えている。
【００２０】
この様に構成された表示装置において、各発光ダイオード８，８Ａ，８Ｂが点灯していない状態では、表示装置の中央付近は黒色の半透明部１７によって黒ずんでおり、透視板１３の背後に配置されている指針５や表示板７の副表示部などは視認されない（図２に指針５の位置を破線で示す）。半透明部１７の周囲は、半透明部１７と同系色である黒色の不透過部１９がリング状に視認される。また、半透明部１７と不透過部１９以外は無色透明部１８であるため、表示板７の主表示部６Ａが白色で透視される。
【００２１】
発光ダイオード８が点灯すると、指針５の指示部４の裏面に設けた赤色の箔１６に発光ダイオード８から導かれた光が反射して指示部４が赤色で発光する。また、表示板７照明用の例えば赤色で発光する発光ダイオード８Ａ，８Ｂが点灯すると、副表示部および主表示部６Ａが赤色で透過表示される（視認される）。なお、前述した様に半透明部１７のゲート切断跡２０は不透過部１９で包み込まれているため、発光ダイオード８Ａ，８Ｂの点灯の有無に関わらず、ゲート切断跡２０は見えない。
【００２２】
この様に、第１の透過部である半透明部１７の周囲に一体成形される第２の透過部である無色透明部１８を備えた透視板１３において、半透明部１７および無色透明部１８と一体成形され、半透明部１７のゲート切断跡２０を包み込む（覆い隠す）不透過部１９を有するようにしたことにより、半透明部１７のゲート切断跡２０が視認されず、外観品質が低下しなく、商品性が向上する。なお、不透過部１９は少なくとも半透明部１７のゲートの切断跡２０が視認されないようになっていれば良く、従って、不透過部１９を設ける箇所はゲート切断跡２０付近のみでも良い。この場合、半透明部１７を射出成形し、その後、半透明部１７と一体となるように部分的に不透過部１９を射出成形し、その後、無色透明部１８を一体成形すれば良い。
【００２３】
また、不透過部１９を半透明部１７と無色透明部１８との間の全周に設けたことにより、例えば一部分に不透過部１９が有る場合に比べて見栄えが良い。また、不透過部１９を半透明部１７と同系の黒色としたことにより、発光ダイオードの非点灯時において不透過部１９の存在が目立ちにくく、違和感が少ない。
【００２４】
なお、本実施形態において、半透明部１７を黒色として、発光ダイオードの非点灯時には指針５および表示板７の副表示部が視認されないようにしたが、例えば警告表示部を表示板７に設け、背後に配置した光源が点灯した時のみ警告表示部が現れるようにしても良く、その表示態様は任意である。
【００２５】
図４は、本発明の第２実施形態の透視板（樹脂成形品）を示す部分断面図である。透視板以外は前記第１実施形態と同じため、説明は省略する。また、符号は前記第１実施形態と同一符号を用いて説明する。
【００２６】
本実施形態における透視板１３も前記第１実施形態と同様に、黒色の半透明部１７（第１の透過部）と、この半透明部１７の周囲に位置する無色透明部１８（第２の透過部）と、半透明部１７と無色透明部１８との間の全周に一体成形される黒色の不透過部１９からなる。なお、半透明部１７を成形した際のゲート切断跡２０は、図４に示す様に半透明部１７の端縁下面箇所である。また、不透過部１９は断面が略Ｔ字状であり、半透明部１７および無色透明部１８のそれぞれの表面側の全周端縁を覆い、透視板１３の裏面側は半透明部１７および無色透明部１８の裏面とほぼ同一面となるように成形される。従って、半透明部１７を成形した際のゲート切断跡２０は前記第１実施形態の様に不透過部１９によって包み込まれていなく、半透明部１７の端縁下面にむき出したままである。
【００２７】
しかしながら、半透明部１７の表面側の端縁が不透過部１９によって覆われているために、発光ダイオードの非点灯・点灯に関わらずゲート切断跡２０は視認されない。この様に、本発明におけるゲート切断跡を覆い隠すとは、前記第１実施形態の様にゲート切断跡２０を包み込んでしまうものだけでなく、本実施形態の様にゲート切断跡２０が露出していても、不透過部１９で覆うことによって視認されなくなるものも含む。また、不透過部１９を射出した際のゲート切断跡２０Ｂは図４に示す様に透視板１３の表面側から視認されることのない箇所とする。この様に構成したことにより、前記第１実施形態と同様に、外観品質を低下させることのない透視板１３を提供できる。
【００２８】
なお、前記各実施形態において、第１の透過部を黒色の半透明部１７とし、第２の透過部を無色透明部１８としたが、第１の透過部を無色透明部１８とし、第２の透過部を黒色の半透明部１７としても良い。あるいは無色透明，黒色に限らず光透過性を有する樹脂なら色調は適宜設定すれば良い。また、不透過部１９も黒色に限定するものではなく、形状も任意である。
【００２９】
また、透視板１３は半透明部１７と無色透明部１８を個々に射出成形した後、これらと一体となるように不透過部１９を射出成形したが、半透明部１７を射出成形し、その後、半透明部１７と一体となるように不透過部１９を射出成形し、その後、無色透明部１８を一体成形しても良い。あるいは、半透明部１７を成形した後、不透過部１９と無色透明部１８を二色成形しても良い。あるいは、無色透明部１８を先に成形した後、半透明部１７と不透過部１９を成形するようにしても良く、透視板１３の形成方法は任意である。要は、前述した如く半透明部１７（第１の透過部）のゲート切断跡が視認されないようになっていれば良い。
【００３０】
【発明の効果】
以上詳述した様に、本発明によれば、射出成形される第１の透過部の周囲に第２の透過部を一体成形した樹脂成形品であっても、第１の透過部のゲートの切断跡が視認されず、外観品質を低下させることのない樹脂成形品を提供することができる。
【図面の簡単な説明】
【図１】本発明を適用した第１実施形態を示す表示装置の断面図。
【図２】同実施形態を示す表示装置の正面図。
【図３】同実施形態の透視板を示す部分断面図（図１に於けるＡ部詳細）。
【図４】本発明を適用した第２実施形態の透視板を示す部分断面図。
【図５】従来例の透視板を適用した表示装置を示す断面図。
【図６】従来例の透視板を示す正面図。
【符号の説明】
１３  透視板（樹脂成形品）
１７  半透明部（第１の透過部）
１８  無色透明部（第２の透過部）
１９  不透過部
２０，２０Ａ，２０Ｂ  ゲート切断跡
【図１】
2004230563.tif 000003
【図２】
2004230563.tif 000004
【図３】
2004230563.tif 000005
【図４】
2004230563.tif 000006
【図５】
2004230563.tif 000007
【図６】
2004230563.tif 000008